(57)【特許請求の範囲】
【請求項１】
複数の光ファイバが収納された光ファイバケーブルと、
前記光ファイバが埋設されるカード状の部材とからなり、
前記光ファイバケーブルは、入射端の径に比べて出射端の径を大きくし、入射端においては複数の光ファイバを密に束ね、出射端においては充填材中に前記複数の光ファイバをランダムに配列し、前記光ファイバケーブルを介して光が伝送されたときに出射端側に生じる固有の光学パターンを鍵情報として用いる
ようにしたことを特徴とするカードキー。
【請求項２】
前記光ファイバケーブルは、入射端側の光ファイバが複数に分割され、分割された複数の各光ファイバがそれぞれ対応する出射端で充填材中に固定されるようにしたことを特徴とする請求項１に記載のカードキー。
【請求項３】
複数の光ファイバが収納された光ファイバケーブルと、前記光ファイバが埋設されるカード状の部材とからなり、前記光ファイバケーブルは、入射端の径に比べて出射端の径を大きくし、入射端においては複数の光ファイバを密に束ね、出射端においては充填材中に前記複数の光ファイバをランダムに配列したカードキーを用いる施錠装置であって、
装着されたカードキーに埋設された光ファイバケーブルの入射端に光を供給する発光素子と、
前記装着されたカードキーに埋設された光ファイバケーブルを介して伝送された光を受光し、前記装着されたカードキーに埋設された光ファイバの出射端側の光学パターンを検出する撮像素子と、
前記カードキーの光ファイバケーブルの出射端の光学パターンが予め記憶されたメモリと、
前記装着されたカードキーの光ファイバケーブルの出射端の光学パターンと前記メモリから読み出されたカードキーの光ファイバケーブルの出射端の光学パターンとを比較し、前記装着されたカードキーの光ファイバケーブルの光学パターンと前記メモリから読み出されたカードキーの光ファイバケーブルの出射端の光学パターンとが一致した場合には、施錠又は解錠を行うように制御する制御回路と
を備えたことを特徴とする施錠装置。
【請求項４】
入射端の径に比べて出射端の径を大きくし、入射端においては複数の光ファイバを密に束ね、出射端においては充填材中に前記複数の光ファイバをランダムに配列し、前記出射端の光ファイバの光学パターンを鍵情報として用いることを特徴とする光ファイバケーブル。
【請求項５】
入射端側の光ファイバが複数に分割され、分割された複数の各光ファイバがそれぞれ対応する出射端で充填材中に固定されることを特徴とする請求項４に記載の光ファイバケーブル。
【発明の詳細な説明】
【技術分野】
【０００１】
本発明は、アパートやマンション、自動車等の施錠に用いることができる施錠装置、カードキー、及びこのようなカードキーに関するもので、特に、合い鍵の作成が殆ど不可能で、セキュリティが向上されたものに関する。
【背景技術】
【０００２】
従来、アパートやマンションの施錠装置や、自動車の施錠装置としては、鍵穴に鍵を通し、シリンダを回転させるような構造のものが広く用いられていた。しかしながら、このような従来の施錠装置では、合い鍵が容易に作成され、盗難が発生するという被害が後を絶たない。
【０００３】
例えば、自動車の場合には、自分の自動車を少しの間他人に貸与するようなときに、合い鍵が作成され、後日、この合い鍵を利用して、その自動車が盗難される可能性がある。また、アパートやマンションの場合には、その部屋の住民が変わったときに、鍵を付け替えないと、以前に住んでいた住人が合い鍵を作って、その部屋に侵入する可能性がある。
【０００４】
また、ホテルの部屋の鍵としては、例えば、特許文献１に示すように、カード上に磁気テープを設け、この磁気テープにキー情報を記録しておくようなカードキーを用いたものが知られている。しかしながら、磁気カードは偽造が容易で、セキュリティに問題がある。
【特許文献１】特開２０００−２５１６５号公報
【発明の開示】
【発明が解決しようとする課題】
【０００５】
そこで、合い鍵が容易に作成できないセキュリティの高い施錠装置を作ることが要望されている。セキュリティの高い施錠システムとしては、ＩＣカードを使ったものがある。しかしながら、ＩＣカードを使った施錠システムは、高価である。また、ＩＣカードには個人情報が記憶されるため、アパートやホテルのキー、自動車のキーなど、他人に譲渡したり、他人に貸与したりする機会の多いものに用いる鍵としては不向きである。
【０００６】
本発明は、上述の課題を鑑み、合い鍵を作成することが困難であると共に、構造が簡単で、安価であり、破損のおそれの少ないカードキー、そのようなカードキーを用いた施錠装置及びこれらに用いられる光ファイバケーブルを提供することを目的とする。
【課題を解決するための手段】
【０００７】
本発明に係るカードキーは、複数の光ファイバが収納された光ファイバケーブルと、光ファイバが埋設されるカード状の部材とからなり、光ファイバケーブルは、入射端の径に比べて出射端の径を大きくし、入射端においては複数の光ファイバを密に束ね、出射端においては充填材中に前記複数の光ファイバをランダムに配列し、光ファイバケーブルを介して光が伝送されたときに出射端側に生じる固有の光学パターンを鍵情報として用いるようにしたことを特徴とする。
【０００８】
好ましくは、光ファイバケーブルは、入射端側の光ファイバが複数に分割され、分割された複数の各光ファイバがそれぞれ対応する出射端で充填材中に固定されるようにしたことを特徴とする。
【０００９】
本発明に係る施錠装置は、複数の光ファイバが収納された光ファイバケーブルと、前記光ファイバが埋設されるカード状の部材とからなり、光ファイバケーブルは、入射端の径に比べて出射端の径を大きくし、入射端においては複数の光ファイバを密に束ね、出射端においては充填材中に前記複数の光ファイバをランダムに配列したカードキーを用いる施錠装置であって、装着されたカードキーに埋設された光ファイバケーブルの入射端に光を供給する発光素子と、装着されたカードキーに埋設された光ファイバケーブルを介して伝送された光を受光し、装着されたカードキーに埋設された光ファイバの出射端側の光学パターンを検出する撮像素子と、カードキーの光ファイバケーブルの出射端の光学パターンが予め記憶されたメモリと、装着されたカードキーの光ファイバケーブルの出射端の光学パターンと前記メモリから読み出されたカードキーの光ファイバケーブルの出射端の光学パターンとを比較し、前記装着されたカードキーの光ファイバケーブルの光学パターンと前記メモリから読み出されたカードキーの光ファイバケーブルの出射端の光学パターンとが一致した場合には、施錠又は解錠を行うように制御する制御回路とを備えたことを特徴とする。
【００１０】
本発明に係る光ファイバケーブルは、入射端の径に比べて出射端の径を大きくし、入射端においては複数の光ファイバを密に束ね、出射端においては充填材中に前記複数の光ファイバをランダムに配列し、前記出射端の光ファイバの光学パターンを鍵情報として用いることを特徴とする。
【００１１】
好ましくは、入射端側の光ファイバが複数に分割され、分割された複数の各光ファイバがそれぞれ対応する出射端で充填材中に固定されることを特徴とする。
【発明の効果】
【００１２】
本発明に係るカードキーによれば、複数の光ファイバが収納された光ファイバケーブルと、光ファイバが埋設されるカード状の部材とからなり、光ファイバケーブルは、複数の光ファイバがその入射端側では密に固定され、その出射端側では充填材の中に互いに間隔を置いてランダムに配列されるように固定され、光ファイバケーブルを介して光が伝送されたときに出射端側に生じる固有の光学パターンを鍵情報として用いるようにしているので、合い鍵の作成が困難であり、ローコストで、高いセキュリティが得られる。
【００１３】
本発明に係るカードキーによれば、光ファイバケーブルは、入射端側の光ファイバが複数に分割され、分割された複数の各光ファイバがそれぞれ対応する出射端で充填材中に固定されるようにすることで、さらに、セキュリティを向上できる。
【００１４】
本発明に係る施錠装置は、複数の光ファイバが収納された光ファイバケーブルと、前記光ファイバが埋設されるカード状の部材とからなり、光ファイバケーブルは、入射端の径に比べて出射端の径を大きくし、入射端においては複数の光ファイバを密に束ね、出射端においては充填材中に前記複数の光ファイバをランダムに配列したカードキーを用いる施錠装置であって、装着されたカードキーに埋設された光ファイバケーブルの入射端に光を供給する発光素子と、装着されたカードキーに埋設された光ファイバケーブルを介して伝送された光を受光し、装着されたカードキーに埋設された光ファイバの出射端側の光学パターンを検出する撮像素子と、カードキーの光ファイバケーブルの出射端の光学パターンが予め記憶されたメモリと、装着されたカードキーの光ファイバケーブルの出射端の光学パターンと前記メモリから読み出されたカードキーの光ファイバケーブルの出射端の光学パターンとを比較し、前記装着されたカードキーの光ファイバケーブルの光学パターンと前記メモリから読み出されたカードキーの光ファイバケーブルの出射端の光学パターンとが一致した場合には、施錠又は解錠を行うように制御する制御回路とを備えるようにしているので、合い鍵の作成が困難であり、ローコストで、高いセキュリティが得られる。
【００１５】
本発明に係る光ファイバケーブルは、入射端の径に比べて出射端の径を大きくし、入射端においては複数の光ファイバを密に束ね、出射端においては充填材中に前記複数の光ファイバをランダムに配列し、前記出射端の光ファイバの光学パターンを鍵情報として用いるようにしているので、固有の光学パターンを得ることができる。
【００１６】
本発明に係る光ファイバケーブルは、入射端側の光ファイバが複数に分割され、分割された複数の各光ファイバがそれぞれ対応する出射端で充填材中に固定されるようにすることで、固有の光学パターンを得ることができる。
【発明を実施するための最良の形態】
【００１７】
第１実施形態．
以下、本発明の実施の形態について図面を参照して説明する。図１は、本発明が適用されたカードキー１の構成を示すものである。図１において、カードキー１は合成樹脂等で形成されたカード状の部材からなり、カードキー１には、光ファイバケーブル２が埋設されている。
【００１８】
光ファイバケーブル２は、図２及び図３に示すように、多数の光ファイバ３を収納し、樹脂製の被覆材４で覆ったものである。各光ファイバ３としては、例えば、外形５０μｍのグラスファイバが用いられる。光ファイバケーブル２の入射端Ａ１には、スリーブ５が設けられる。光ファイバケーブル２の出射端Ａ２には、スリーブ６が設けられる。出射端Ａ２側のスリーブ６の径は、入射端Ａ１側のスリーブ５の径より大きくなっている。このため、光ファイバケーブル２内の各光ファイバ３は、図３に示すように、スリーブ６の付近で、外側に広がるようになる。このときに、入射端Ａ１側における光ファイバ３の配列は図３（Ｂ）に示すように、光ファイバが密に配列されており、一方、出射端Ａ２側の光ファイバ３の配置は図３（Ｃ）に示すように、樹脂等の充填材７の中に光ファイバ３が互いに間隔を置いてランダムに配列されている。
【００１９】
このように、カードキー１に埋設される光ファイバケーブル２には、複数の光ファイバ３が収容されている。また、光ファイバケーブル２内の複数の光ファイバ３は、その入射端Ａ１側では密に固定され、その出射端Ａ２側では充填材７の中に互いに間隔を置いてランダムに配列されている。スリーブ６において複数の光ファイバ３を充填材７中に固定する際に、スリーブ６中の光ファイバ３の配列はランダムになり、２つとして同じ配列になるものはない。このため、カードキー１に埋設される光ファイバケーブル２を介して、入射端Ａ１から出射端Ａ２に光を伝送させると、その出射端Ａ２光学パターンは、各光ファイバケーブル２毎に固有のパターンとなる。この出射端Ａ２における固有の光学パターンを利用してセキュリティの高いキーを提供できる。
【００２０】
図４は、本発明が適用された施錠装置の全体構成を示すブロック図である。図４において、カードホルダ１１に、前述のように構成されたカードキー１が装着される。カードホルダ１１には、ＬＥＤ(Light Emitting Diode)発光素子１２とＣＣＤ(Charge Coupled Device)撮像素子１５とが対向して配設されている。また、カードホルダ１１には、カードキーが挿入されたことを検出するカードセンサ１３が設けられる。
【００２１】
鍵を施錠したり、解錠したりする際には、カードホルダ１１にカードキー１が装着される。カードホルダ１１にカードキー１が装着されると、ＬＥＤ発光素子１２とＣＣＤ撮像素子１５とが対向する間に、カードキー１の光ファイバケーブル２が位置するようになる。そして、カードセンサ１３により、カードホルダ１１にカードキー１が装着されたことが検出される。
【００２２】
カードホルダ１１にカードキー１が装着されると、ＬＥＤ駆動回路１４により、ＬＥＤ発光素子１２が点灯される。ＬＥＤ発光素子１２が点灯されると、ＬＥＤ発光素子１２からの光は、カードキー１の光ファイバケーブル２の入射端Ａ１に入射され、出射端Ａ２から出射される。このカードキー１の光ファイバケーブル２を介して伝送された光がＣＣＤ撮像素子１５で受光される。
【００２３】
ＣＣＤ撮像素子１５の出力信号はＡ／Ｄ(Analog to Digital)コンバータ１６に供給され、Ａ／コンバータ１６でＣＣＤ撮像素子１５の出力信号がディジタル化される。Ａ／Ｄコンバータ１６の出力信号がＣＰＵ(Central Processing Unit)１７に供給される。
【００２４】
ＣＰＵ１７に対して、不揮発性メモリ１８が設けられている。不揮発性メモリ１８には、予め、カードキーに装着された光ファイバケーブルの光学パターンが記憶されている。この不揮発性メモリ１８に格納されていたカードキーの光ファイバケーブルの光学パターンがＣＰＵ１７に読み出される。
【００２５】
ＣＰＵ１７で、カードホルダ１１に装着されたカードキー１の光ファイバケーブル２の光学パターンと、不揮発性メモリ１８から読み出されたカードキーの光ファイバケーブルの光学パターンとが比較される。
【００２６】
カードホルダ１１に装着されたカードキー１の光ファイバケーブル２の光学パターンと、不揮発性メモリ１８から読み出されたカードキーの光ファイバケーブルの光学パターンとが一致した場合には、キー駆動回路１９に施錠／解錠信号が与えられる。これにより、キー機構部２０で鍵の施錠又は解錠が行われる。
【００２７】
図５は、ＣＰＵ１７の処理を示すフローチャートである。図５において、カードセンサ１３の出力信号から、カードホルダ１１にカードキー１が装着されたかどうかが判断される（ステップＳ１）。カードホルダ１１にカードキー１が装着されたと判断されると、ＬＥＤ駆動回路１４に駆動信号が与えられ、ＬＥＤ発光素子１２が点灯される（ステップＳ２）。ＬＥＤ発光素子１２からの光は、カードキー１の光ファイバケーブル２を介して伝送され、ＣＣＤ撮像素子１５で受光される。そして、ＣＣＤ撮像素子１５の出力信号は、Ａ／Ｄコンバータ１６でディジタル化されて、ＣＰＵ１７に入力される。これにより、カードホルダ１１に装着されたカードキーの光ファイバケーブルの光学パターンがＣＰＵ１７に入力される（ステップＳ３）。
【００２８】
カードホルダ１１に装着されたカードキーの光ファイバケーブルの光学パターンが入力されたら、不揮発性メモリ１８から、カードキーの光ファイバケーブルの光学パターンが読み出される（ステップＳ４）。そして、カードホルダ１１に装着されたカードキーの光ファイバケーブルの光学パターンと、予め認識されたカードキーの光ファイバケーブルの光学パターンとが一致するかどうかが判断される（ステップＳ５）。
【００２９】
ここで、カードホルダ１１に装着されたカードキーの光ファイバケーブルの光学パターンと、カードキーの光ファイバケーブルの光学パターンとが一致していると判断された場合には、キー駆動回路１９に施錠／解錠信号が送られる（ステップＳ６）。カードホルダ１１に装着されたカードキーの光ファイバケーブルの光学パターンと、カードキーの光ファイバケーブルの光学パターンとが一致しないと判断された場合には、警報発生回路２１に警報信号が送られ、警報が発生される（ステップＳ７）。
【００３０】
例えば、図６（Ａ）及び図６（Ｂ）に示すように、２つのカードキー１ａ、１ｂがあり、カードキー１ａが真のカードキーであり、カードキー１ｂは、偽のカードキーであるとする。真のカードキー１の光ファイバケーブル２ａから得られる光学パターンは図６（Ａ）に示すような光学パターンＰ１であり、偽のカードキー１ｂの光ファイバケーブル２ｂから得られる光学パターンは、図６（Ｂ）に示すような光学パターンＰ２であるとする。そして、不揮発性メモリ１８には、真のカードキー１ａの光学パターンＰ１が記憶されているものとする。
【００３１】
ここで、カードキー１ａがカードホルダ１１に装着されたとすると、差し込まれたカードキー１ａに埋め込まれた光ファイバケーブル２ａを介して得られた光学パターンは、図６（Ａ）に示すような光学パターンＰ１となる。この光学パターンＰ１は、不揮発性メモリ１８に記憶されていた光学パターンＰ１とが一致する。このため、この場合には、カードホルダ１１に装着されたカードキー１ａは真のカードキーであると判断され、施錠又は解錠が行われる。
【００３２】
これに対して、カードキー１ｂがカードホルダ１１に装着されたとすると、差し込まれたカードキー１ｂに埋め込まれた光ファイバケーブル２ｂを介して得られた光学パターンは、図６（Ｂ）に示すような光学パターンＰ２となる。この光学パターンＰ２は、不揮発性メモリ１８に記憶されていた光学パターンＰ１とは異なる。このため、この場合には、カードホルダ１１に装着されたカードキー１ｂは真のカードキーではないと判断され、施錠又は解錠は行われない。
【００３３】
このように、本発明が適用された施錠装置では、各カードキー１に埋設される光ファイバケーブル２の出射端における光パターンが固有のパターンになることが利用され、カードホルダ１１に装着されたカードキーの光ファイバケーブルの光学パターンと、不揮発性メモリ１８に記憶されているカードキーの光ファイバケーブルの光学パターンとが一致している場合のみ、カードホルダ１１に装着されたカードキー１はカードキーであると判断されて、施錠又は解錠が行われる。前述したように、各光ファイバ３の配列は出射端Ａ２側においてはバラツキがあるので、出射端Ａ２側の光パターンは、２つとして同じものはない。したがって、出射端Ａ２側における同一の光学パターンを持つ光ファイバを作成することは不可能であり、合い鍵を作成することは非常に困難である。
【００３４】
また、カードキー１は、多数の光ファイバ３がランダムに収納された光ファイバケーブル２を埋設するという簡単な構成である。このため、カードキー１は安価に製造できる。
【００３５】
図７は、カードホルダ１１に装着されたカードキーの光ファイバケーブルの光学パターンと、不揮発性メモリ１８に記憶されているカードキーの光ファイバケーブルの光学パターンとを比較する処理ブロックの具体例を示すものである。なお、このような処理は、前述したように、ＣＰＵ１７でソフトウェアにより実現できる。図７は、このときの処理を、ソフトウェアと等価な機能ブロックにより説明したものである。
【００３６】
図７において、ＣＣＤ撮像素子１５により、カードホルダ１１に装着されたカードキー１の光ファイバケーブル２の画像信号が得られる。この画像信号は、Ａ／Ｄコンバータ１６でディジタル化され、領域抽出部５１に送られる。領域抽出部５１により、ＣＣＤ撮像素子１５から得られる画像信号の中から、不要な領域の部分の信号が削除される。領域抽出部５１の出力信号がパターン比較部５２に送られる。
【００３７】
不揮発性メモリ１８にはパターンデータ格納部５５が確保され、このパターンデータ格納部５５には、カードキーの光ファイバケーブルの光学パターンに相当する画像信号が記憶されている。パターン読出部５３により、パターンデータ格納部５５からカードキーの光ファイバケーブルの画像信号が読み出され、この信号がパターン比較部５２に送られる。
【００３８】
パターン比較部５２は、ＣＣＤ撮像素子１５、Ａ／Ｄコンバータ１６、領域抽出部５１を介して送られてきた画像信号と、不揮発性メモリ１８から読み出された光学パターンの画像信号とのパターンマッチングを行う。パターンマッチングの方法としては、各種の方法が提案されており、どのような方法を用いても良い。例えば、対応する画素データの差分の絶対値和により、パターンマッチングが行える。また、時間領域の画像信号を周波数領域のデータに変換し、対応するスペクトラム毎の相関をとることにより、パターンマッチングが行える。パターン比較部５２によりパターンマッチングが行われ、相関が強いと判断された場合には、カードホルダ１１に装着されたカードキーの光ファイバケーブルの光学パターンと、カードキーのときの光ファイバケーブルの光学パターンとが一致していると判断される。
【００３９】
第２実施形態．
図８は、本発明の第２実施形態を示すものである。上述の第１実施形態では、カードキー１に埋設される光ファイバケーブル２として１本のケーブルのものが用いられている。これに対して、この第２実施形態では、カードキー１に埋設される光ファイバケーブル１０２として、２つに分岐するようなケーブルのものが用いられる。
【００４０】
すなわち、光ファイバケーブル１０２は、図９に示すように、多数の光ファイバ１０３を収納し、樹脂製の被覆材１０４で覆ったものであり、分岐点１０８において、光ファイバ１０３は２つのケーブル１０２ａ、１０２ｂに分割されている。光ファイバケーブル１０２の入射端Ａ１１には、スリーブ１０５が設けられる。光ファイバケーブル２の出射端Ａ１２及びＡ１３には、スリーブ１０６ａ、１０６ｂが設けられる。出射端Ａ１２、Ａ１３側のスリーブ１０６ａ、１０６ｂの径は、入射端Ａ１１側のスリーブ１０５の径より大きくなっている。
【００４１】
このように、２つに分岐される光ファイバケーブル１０２を用いた場合には、光ファイバケーブル１０２の入射端Ａ１１に光を供給すると、この光は２つに分割され、それぞれ出射端Ａ１２及びＡ１３の光ファイバ３から得られる。光ファイバケーブル１０２には非常に多数の光ファイバ１０３が収容されており、出射端側のスリーブ１０６ａ及び１０６ｂの径は、入射端側のスリーブ１０５の径より大きくなっており、入射端Ａ１１側では複数の光ファイバ１０３が密に固定され、その出射端Ａ１２及びＡ１３側では複数の光ファイバが充填材１０７の中に互いに間隔を置いてランダムに配列される。このため、出射端Ａ１２及びＡ１３から得られる光学パターンは、光ファイバケーブル固有のものとなる。このことを利用して、上述の第１実施形態と同様に、光学パターンを鍵情報として用いる光ファイバケーブルを提供できる。
【００４２】
さらに、この第２実施形態では、光ファイバケーブル１０２は、光ファイバケーブル１０２ａと光ファイバケーブル１０２ｂとの２つに分岐しており、出射端Ａ１２と出射端Ａ１３から得られる２つの光学パターンが利用できる。このため、さらにセキュリティの向上が図れる。
【００４３】
すなわち、カードキーの光ファイバケーブルの光学パターンと全く同一の光学パターンのケーブルを作成することは不可能に近いが、非常に類似する光学パターンのケーブルは作成される可能性も考えられる。１つの出射端から得られる光学パターンだけを用いるのでは、光学パターンのマッチングの精度によっては、非常に類似した光学パターンの光ファイバケーブルのカードキーを使って、施錠が破られる可能性がある。これに対して、第２実施形態のように、出射端Ａ１２と出射端Ａ１３から得られる２つの光学パターンを利用できるようにしておけば、たとえ１つの出射端から得られる光学パターンが非常に類似た光学パターンの光ファイバケーブルのカードキーを使ったとしても、施錠が破られることはなく、セキュリティがさらに向上される。
【００４４】
本発明は、上述した実施形態に限定されるものではなく、この発明の要旨を逸脱しない範囲内で様々な変形や応用が可能である。
【図面の簡単な説明】
【００４５】
【図１】本発明の第１実施形態のカードキーの斜視図である。
【図２】本発明の第１実施形態のカードキーに用いられる光ファイバケーブルの一例の斜視図である。
【図３】本発明の第１実施形態のカードキーに用いられる光ファイバケーブルの一例の断面図である。
【図４】本発明が適用された施錠装置の一例のブロック図である。
【図５】本発明が適用された施錠装置の一例の説明に用いるフローチャートである。
【図６】本発明が適用された施錠装置の一例の説明に用いる斜視図である。
【図７】本発明が適用された施錠装置におけるパターン比較の説明に用いるブロック図である。
【図８】本発明の第２実施形態のカードキーの斜視図である。
【図９】本発明の第２実施形態のカードキーに用いられる光ファイバケーブルの一例の斜視図である。
【符号の説明】
【００４６】
１  カードキー
２、１０２  光ファイバケーブル
３、１０３  光ファイバ
４、１０４  被覆材
５、６、１０５，１０６ａ、１０６ｂ  スリーブ
７、１０７  充填材
１１  カードホルダ
１２  ＬＥＤ発光素子
１３  カードセンサ
１４  ＬＥＤ駆動回路
１５  ＣＣＤ撮像素子
１６  Ａ／Ｄコンバータ
１７  ＣＰＵ
１８  不揮発性メモリ
１９  キー駆動回路
２０  キー機構部
２１  警報発生部
５１  領域抽出部
５２  パターン比較部
５３  パターン読出部
５５  パターンデータ格納部
【要約】
【課題】  合い鍵を作成することが困難であると共に、安価なカードキー及び施錠装置を提供する。
【解決手段】  複数の光ファイバがランダムに収容されている光ファイバケーブル２をカードキー１に埋設する。光ファイバケーブル２の入射端側は複数の光ファイバ３を密に固定し、出射端側は複数の光ファイバ３を充填材の中に互いに間隔を置いてランダムに配列しておく。光ファイバケーブルを介して光が伝送されたときに固有の光学パターンが生じる。カードキーの光ファイバケーブルの光学パターンを不揮発性メモリ１８に記憶しておく。装着されたカードキー１の光ファイバケーブル２の光学パターンをＣＣＤ撮像素子１５により検出し、不揮発性メモリ１８から読み出されたカードキーの光ファイバケーブルの光学パターンとを比較し、両者が一致した場合には、施錠又は解錠を行うように制御する。
【選択図】        図４
【図１】
0003613798.tif 000002
【図２】
0003613798.tif 000003
【図３】
0003613798.tif 000004
【図４】
0003613798.tif 000005
【図５】
0003613798.tif 000006
【図６】
0003613798.tif 000007
【図７】
0003613798.tif 000008
【図８】
0003613798.tif 000009
【図９】
0003613798.tif 000010